(57)【要約】【課題】  帯や紐による胸の締め付けを解消し、帯の形が引き締まって見栄えが良く、且つ複雑な帯結びも一人で容易に行うことができる着物の帯結び用の形整具を提供する。【解決手段】  材質が帯よりも硬質であってしかも胴部に軽く巻ける程度の柔軟性を有し、長さが胴部着衣上の全周と略等しく、板幅が使用する帯の幅よりも僅かに短い帯板本体４を、板面形状が胴部に巻いた時に逆円錐台形になるように上辺と下辺が平行な山状を成すように形成する。  また、前記帯板本体４の両端部４ｃ、４ｄに伸縮性を有する係止帯９、１０を延設する。  そして、前記帯板本体４を胴部に巻き付けた状態で両端部４ｃ、４ｄ同士を一定範囲に自由位置に留められるように、胴部に巻いた時に重なり合う帯板本体４の両端部４ｃ、４ｄと前記係止帯９、１０との接合面に対向状態で面ファスナー５ａ、６ａ，７、８を設ける。【選択図】    図３
2006070384.tif 000002
【特許請求の範囲】
【請求項１】
材質が帯よりも硬質であってしかも胴部に軽く巻ける程度の柔軟性を有し、長さが胴部着衣上の全周よりも長く、板幅が使用する帯の幅よりも僅かに短く、板面形状が胴部に巻いた時に逆円錐台形になるように上辺と下辺が略平行な山状を成す帯板本体と、
前記帯板本体を胴部に巻き付けた状態で両端部同士を一定範囲に自由位置に留められるように、胴部に巻いた時に重なり合う帯板本体の両端部の接合面に対向状態で設けた面ファスナーとから成る和装用帯結び形整具。
【請求項２】
材質が帯よりも硬質であってしかも胴部に軽く巻ける程度の柔軟性を有し、長さが胴部着衣上の全周と略等しく、板幅が使用する帯の幅よりも僅かに短く、板面形状が胴部に巻いた時に逆円錐台形になるように上辺と下辺が平行な山状を成す帯板本体と、
該帯板本体の両端部に延設した伸縮性を有する係止帯と、
前記帯板本体を胴部に巻き付けた状態で両端部同士を一定範囲に自由位置に留められるように、胴部に巻いた時に重なり合う帯板本体の端部と前記係止帯との接合面に対向状態で設けた面ファスナーとから成る和装用帯結び形整具。
【請求項３】
両端部同士を留められるように帯板本体の両端部に設けた各面ファスナーの位置を、帯板本体の中間よりも下方位置に設けて成る請求項１又は２に記載の和装用帯結び形整具。
【請求項４】
帯板本体の両端部近くの上辺を端部へ向って斜め下がり状態又は一段低い状態に形成して成る請求項１乃至３のうちいずれか１項に記載の和装用帯結び形整具。
【請求項５】
帯板本体の内面に、長さ方向に平行な突条を複数本設けた請求項１乃至４のうちいずれか１項に記載の和装用帯結び形整具。
【請求項６】
帯枕の両側部に設けた係止具又は帯結び補助紐の両端に設けた係止具に対して、ワンタッチで着脱可能な係止具を先端部に備えるとともに伸縮性部分又は着脱及び長さ調節手段を設けた係止紐を、該係止具の位置が帯板本体の両端部寄りになるように、基端部を帯板本体内面の中央対称位置に１対又は複数対設けて成る請求項１乃至５のうちいずれか１項に記載の和装用帯結び形整具。
【請求項７】
帯板本体の内面に設けた係止紐が収納できるように、上開きに形成した紐収納ポケットを設けた請求項６に記載の和装用帯結び形整具。
【請求項８】
帯板本体の上辺から突出する部分が帯に巻き付け可能な長さを有する帯止め紐を、該帯板本体の両方の端部寄り部位に少なくとも１対設けて成る請求項１乃至７のうちいずれか１項に記載の和装用帯結び形整具。
【請求項９】
帯板本体の上辺外側の端部寄り部位には巻止め紐が挿通可能な紐通し輪を設けるとともに内側内面の端部寄りには中間に帯通し具を装着した巻止め紐の基端部を固着又は着脱可能に装着して成り、帯に巻き付けた該巻止め紐の先端部を前記紐通し輪に係止できるようにしたことを特徴とする請求項１乃至８のうちいずれか１項に記載の和装用帯結び形整具。
【請求項１０】
帯板本体の内側内面の端部寄り部位に上開きの小袋を設けて成り、その小袋に帯支持部材を入れて該帯支持部材で帯の結び目を定位置で支えることができるようにしたことを特徴とする請求項１乃至９のうちいずれか１項に記載の和装用帯結び形整具。
【請求項１１】
帯板本体の内側の下辺部寄りに、長さ方向の紐通し筒又は長さ方向に略一定間隔を置いて紐通し輪を繋ぎ布を介して起き上がり自在に設け、前記紐通し筒又は紐通し輪に自在に往復可能な太さで胴部を少なくとも一周させて結べる長さの胴絞り紐を挿通して成り、前記胴絞り紐の両端を引き絞って結ぶことにより胴との弛みを解消できるようにしたことを特徴とする請求項１乃至１０のうちいずれか１項に記載の和装用帯結び形整具。
【発明の詳細な説明】
【技術分野】
【０００１】
本発明は、着物を着付けする際において、帯結びをするときに帯の形を整えるために使用する用具に関する。
【背景技術】
【０００２】
着物の着付けでは、華麗な装飾美を誇る日本の着物を着た時にその美しさを一層引き立てる帯を綺麗に結ぶことが極めて至難であった。
特に帯の結び目は背側になる。このため、結ぼうとしても結び目が見えにくく且つ後手も自由に使えないので、思うように帯が結べない。
そこで、帯を結び易いように一旦前で結んでから、その結び目を後側に廻す方法が行われている。その後側に廻す方法で結ぶ場合に、前で結んだ帯の結び目が後ろに廻しやすくなるように工夫した帯板（特許文献１参照）も提案されている。
しかし、この帯板は帯の形を整えるために従来用いられていた帯板に対して、帯の内側に下締め用のベルトを設けた単純なものであったので、依然として帯を美しく結ぶことに関しては従来の帯板と何ら変わらなかった。
【０００３】
そこで、さらに帯板の中央に帯紐受けを設けて帯を留めるバンドを係止できるようにし、帯の結び目を手で押さえる代わりにそのバンドで留めることによって帯を容易に結ぶことができるようにした帯具（特許文献２参照）が提案されている。
この帯具では、一旦バンドで帯の結び目を留めることができるので、今までより複雑な帯結びが容易に行えるようになった点でこれまでよりも優れたものであった。
しかしながら、図１２に示すように、着ている人の呼吸や身体の動きにより帯板３４が弛んでズリ落ちると、帯板３４の下辺が上辺よりも大きく広がって帯が下開き状態になってしまい易く、このような状態になると締めた帯の形がだらしなく格好悪く見えてしまう欠点があった。
従来では、帯枕や帯結び補助紐を、直接身体に食い込ませるように縛るために、胸元が窮屈に締め付けられて苦しくなり、長く着物を着ていられない一因にもなっていた。
【特許文献１】特開２０００−２６５３１１号公報
【特許文献２】実開平６−２０４２６号公報
【発明の開示】
【発明が解決しようとする課題】
【０００４】
本発明は、上記実情に鑑みてなされたもので、着物の上に巻いた帯や紐で胸が窮屈に締め付けられるのを解消するとともに、結び方が複雑な帯結びでも一人で容易に且つ美しく帯を結ぶことができ、しかも身体の動きによって装着した帯が弛んでも不恰好な下開き状態になることなく、且つその結んだ帯の見栄えの良さを長時間維持することが可能となる和装用帯結び形整具を提供するものである。
【課題を解決するための手段】
【０００５】
上記課題を解決するために、本発明の和装用帯結び形整具は、材質が帯よりも硬質であってしかも胴部に軽く巻ける程度の柔軟性を有し、長さが胴部着衣上の全周よりも長く、板幅が使用する帯の幅よりも僅かに短い帯板本体を、板面形状が胴部に巻いた時に逆円錐台形になるように上辺と下辺が略平行な山状を成すように形成する。
そして、その帯板本体を胴部に巻き付けた状態で両端部同士を一定範囲に自由位置に留められるように、胴部に巻いた時に重なり合う帯板本体の両端部の接合面に対向状態で面ファスナーを設けたものである。
【０００６】
請求項２に記載の発明は、材質が帯よりも硬質であってしかも胴部に軽く巻ける程度の柔軟性を有し、長さが胴部着衣上の全周と略等しく、板幅が使用する帯の幅よりも僅かに短い帯板本体を、板面形状が胴部に巻いた時に逆円錐台形になるように上辺と下辺が平行な山状を成すように形成する。
該帯板本体の両端部に伸縮性を有する係止帯を延設する。
そして、前記帯板本体を胴部に巻き付けた状態で両端部同士を一定範囲に自由位置に留められるように、胴部に巻いた時に重なり合う帯板本体の端部と前記係止帯との接合面に対向状態で面ファスナーを設けたものである。
【０００７】
請求項３に記載の発明は、上記構成において、前記帯板本体の両端部同士を留められるように帯板本体の両端部に設けた各面ファスナーの位置を、帯板本体の中間よりも下方位置に設けたものである。
【０００８】
請求項４に記載の発明は、上記構成において、前記帯板本体の両端部近くの上辺を端部へ向って斜め下がり状態又は一段低い状態に形成したものである。
【０００９】
請求項５に記載の発明は、上記構成において、帯を巻いた帯板本体を廻す時に着物の表面との抵抗を少なくするために、前記帯板本体の内面に長さ方向に平行な突条を複数本設けたものである。
【００１０】
請求項６に記載の発明は、上記構成において、帯枕の両側部に設けた係止具又は帯結び補助紐の両端に設けた係止具に対して、ワンタッチで着脱可能な係止具を先端部に備えるとともに伸縮性部分又は着脱及び長さ調節手段を設けた係止紐を、該係止具の位置が帯板本体の両端部寄りになるように、基端部を帯板本体内面の中央対称位置に１対又は複数対設けたものである。
【００１１】
請求項７に記載の発明は、上記構成において、前記帯板本体の内面に設けた係止紐が収納できるように、上開きに形成した紐収納ポケットを設けたものである。
【００１２】
請求項８に記載の発明は、上記構成において、帯板本体の上辺から突出する部分が帯に巻き付け可能な長さを有する帯止め紐を、該帯板本体の両方の端部寄り部位に少なくとも１対設けたものである。
【００１３】
請求項９に記載の発明は、上記構成において、前記帯板本体の上辺外側の端部寄り部位には巻止め紐が挿通可能な紐通し輪を設けるとともに内側内面の端部寄りには中間に帯通し具を装着した巻止め紐の基端部を固着又は着脱可能に装着して構成する。
そして、帯に巻き付けた該巻止め紐の先端部を前記紐通し輪に係止できるようにしたことを特徴とするものである。
【００１４】
請求項１０に記載の発明は、上記構成において、前記帯板本体の内側内面の端部寄り部位に上開きの小袋を設けて構成する。
そして、その小袋に帯支持部材を入れて該帯支持部材で帯の結び目を定位置で支えることができるようにしたことを特徴とするものである。
【００１５】
請求項１１に記載の発明は、上記構成において、前記帯板本体の内側の下辺部寄りに、長さ方向の紐通し筒又は長さ方向に略一定間隔を置いて紐通し輪を繋ぎ布を介して起き上がり自在に設け、前記紐通し筒又は紐通し輪に自在に往復可能な太さで胴部を少なくとも一周させて結べる長さの胴絞り紐を挿通して構成する。
そして、前記胴絞り紐の両端を引き絞って結ぶことにより胴との弛みを解消できるようにしたことを特徴とするものである。
【発明の効果】
【００１６】
本発明は以上のようであり、帯板本体の上辺と下辺が略平行な山状に形成されているので、これを胴部に巻いた時には必ず逆円錐台形となる。そしてこのような形の帯板本体の上に帯を巻くとその下部が細く締って、帯板本体の中央部即ち前側の上部が前に膨らんだ状態となる。
したがって、この上にしめる帯の形が引き締まって美しく見え、なおかつ身体を活動させて多少弛んでも帯が不恰好な下開き状態になることなく、その見栄えの良さを長い間維持することが可能になる。
さらに、前記帯板本体の両端部に設けた各面ファスナーの位置を帯板本体の中間よりも下方位置に設ければ、たとえ上部は弛んで広がったとしても帯板本体の下部が拘束されるので、胴に巻いた帯の形が不恰好な下開き状態となるようなことは完全に防止できる。
【００１７】
また、前記帯板本体に対して帯の形を成形・維持するための帯枕止め紐・帯結び補助紐などの各種紐類を係止することで、胴・胸に対しての直接の締め付けが避けられる。このため、帯により胴・胸の締め苦しさから開放され、着慣れていない人でも長い時間楽に着物を着て過ごすことができるようになる。
【００１８】
また、前記帯板本体の帯接触面に周方向に平行な突条を設ければ、帯を巻いた帯板本体を前後変えるために廻す際に、帯板本体と着物の表面との抵抗が少なくなって廻しやすくなり、さらに帯板本体の内面に紐収納ポケットを設ければ、帯板本体の内側に設けた係止具などの突起部分を覆うことができるので高価な着物に傷がつくのを防ぐことが可能となる。
【００１９】
さらにまた、前記帯板本体の両端部近くの上辺を端部へ向って斜め下がり状態又は一段低い状態に形成すれば、その部分の上に帯の結び目や帯枕などを載せることができ、そうすればさらにその上に形成した帯結びを載せることによって帯結びが下がり落ちるのを防止できるので、帯結び位置を形良く高いままで維持することができる。
また、前記帯板本体の端部寄り部位に上開きの小袋を設ければ、背当てや帯結び支持板、タオルなどの帯支持部材を簡単に入れられるためその位置に結び目の高さ位置を容易に安定させることが可能となる。
【００２０】
そして、帯枕や帯結び補助紐を直接帯板本体に装着するために、帯枕の両側部に設けた係止具又は帯結び補助紐の両端に設けた係止具に対してワンタッチで着脱可能な係止具を先端部に備えるとともに伸縮性部分又は着脱及び長さ調節手段を設けた係止紐を、その基端部を帯板本体内面の中央対称位置に１対又は複数対設ければ、係止具の位置を自由に移動でき、その係止紐に必要に応じて各種部材をそれぞれに止めることが可能となる。
たとえば、係止紐を２対設ければ、複数本重ねた帯結び補助紐を両端部で纏め、その両端部にそれぞれ設けた係止具と、帯枕の両側部にそれぞれ設けた係止具とをそれぞれ係止具で繋いだ場合には、帯枕などを任意位置に固定するとともにその帯結び補助紐で帯をより複雑な状態に止めつつ結ぶことが可能となる。
しかも、係止具はワンタッチで着脱可能なので、帯板本体による帯結びの作業がより手際よくできるようになった。
なお、前記帯結び補助紐は伸縮性を有するゴム紐などを使用すれば、さらに複雑な帯結びも可能となる。
【００２１】
また、前記帯板本体の上辺から突出する部分が帯に巻き付け可能な長さを有する帯止め紐を、その帯板本体の両方の端部寄り部位に少なくとも１対設ければ、帯を任意位置に押えつつその紐で帯をより複雑な状態に止め、また帯枕の落下防止のため縛り止めることが可能となる。
【００２２】
さらに、前記帯板本体の上辺外側の端部寄り部位には巻止め紐が挿通可能な紐通し輪を設けるとともに内側内面の端部寄りには中間に帯通し具を装着した巻止め紐の基端部を固着した形態においては、その巻止め紐を帯に巻いて、さらに帯通し具に帯を通し、その紐の先端部を前記紐通し輪に挿通させるか又は止めることによって、帯の結び部分を止め、次に帯枕を止めることができ、帯板本体の上辺の高さ位置に支えることが可能となる。このため、より複雑な各種帯結びを一人で容易に行うことが可能となる。
【００２３】
またさらに、前記帯板本体の内側の下辺部寄りに、長さ方向の紐通し筒又は長さ方向に略一定間隔を置いて紐通し輪を繋ぎ布を介して起き上がり自在に設け、前記紐通し筒又は紐通し輪に自在に往復可能な太さで胴部を少なくとも一周させて結べる長さの胴絞り紐を挿通すれば、前記胴絞り紐の両端を引き絞って結ぶことにより胴との弛みを解消させ、そのことにより帯落ちを防止することが可能となる。
【発明を実施するための最良の形態】
【００２４】
本発明を実施するための形態について以下詳しく説明する。
本発明の和装用帯結び形整具は、人の胴部に巻き付けられる帯板本体と、その帯板本体に装着される機能的な部分とで構成され、請求項１に記載の発明と請求項２に記載の発明との２つの基本となる形態がある。
いずれの形態でも、帯板本体は帯よりも硬質で胴部に軽く巻ける程度の柔軟性を備えた素材が使用される。
【００２５】
そこでまず、第１の基本形態について説明する。
帯板本体の形状は、その長さについては、人の胴部に着物の着付けをしてその上から帯を巻き着けた際の着物上の全周よりも長くする。
さらに詳しくは、図１及び図２に示すように、胴部に巻き着けた際の帯板本体４の両端部４ｃ、４ｄが重ね合わさって、その重ね合わせ面に設けた面ファスナーが付着して固定できる程度の長さと、少なくとも約１０ｃｍ程度の調節対応幅を加味した長さにする。
また、帯板本体の板幅は、図６に示すように、その上に巻いた帯３で帯板本体４の全部が隠れるように帯幅よりも少し短い幅にする。
さらに、着衣２上に巻いた時に、帯結び部分よりも前上部が開く逆円錐台形に（図６に示す形に）なるように、図５に示すような、上辺４ａと下辺４ｂが平行な上が膨らんだ湾曲形状の円弧状などの山状にする。
そして、上記の帯板本体４の両端部４ｃ、４ｄに、胴部に巻いたときにその両端部４ｃ、４ｄ同士が一定範囲に自由位置に留められるように、胴部に巻いた時に重なり合う帯板本体４の両端部の接合する内側外面４ｅと外側内面４ｆに帯板本体４の長さ方向に広がった面ファスナー５、６を対向状態に固着して構成したものである。
【００２６】
次に本発明の第２の基本形態について説明する。
第２の基本形態では、図７及び図１１に示すように、帯板本体４の長さを人の胴部１に着物を着付けしてその上から帯を巻き着けた際の、着物２上の全周と略等長になる長さとすることによって、胴部１に装着したときの帯板本体４の重ね合わせ部分を極力少なくし、嵩張りを極力少なくするものである。
【００２７】
したがって、この形態では、帯板本体４が胴部全周以下の長さでは胴部に巻いたとき、その両端部をそのまま繋ぐことができないため、図３及び図４に示すように、帯板本体４の両端部４ｃ、４ｄにゴム入り布などの伸縮性を有する薄い係止帯９、１０を延設し、胴部に巻き付けたときに帯板本体４に対してその係止帯９、１０が一定範囲に自由位置に留められるように、その係止帯９、１０の帯板本体４と外側と内側での重ね合わせ部分となる係止帯の内面と外面に面ファスナー７、８を設けて、その係止帯９、１０の面ファスナー７、８と対向する帯板本体４の両端部の内側外面４ｅと外側内面４ｆに面ファスナー５ａ、６ａを設けて構成したものである。
この形態では、前記係止帯９、１０によって、装着後の帯板本体４の弛みに対する大きな追随性が得られるようになり、装着したときの胴部へのフィット性を大幅に向上させることができる。
【００２８】
このように第２の基本形態（図３及び図４に示す）は上記の第１の基本形態（図１及び図２に示す）とは、係止帯９、１０を帯板本体４の両端部に延設した点で異なっているが、帯板本体４に用いる素材は同じのものであり、巻いた帯３で帯板本体４の全部が隠れるような板幅にした点と、胴部１に巻いた時に逆円錐台形になるように形成した点も同じである。
以上が本発明の実施における２つの基本形態であるが、これらの基本形態に対して機能を付加した各種形態について以下説明する。
【００２９】
そのうちの一つに形態は、前記帯板本体４の両端部４ｃ、４ｄ同士を留められるように、帯板本体４の両端部４ｃ、４ｄの重ね合わせ面に対向させて設けた各面ファスナー５，６（図１及び図２の形態）、５ａ，６ａ，７，８（図３及び図４の形態）の位置を、帯板本体４の中間よりも下方位置に設けるものである。
このようにすると、前記帯板本体４を胴部１に巻いた時に、帯板本体４が内側から圧力を受けた場合、面ファスナーで固定されていない帯板本体４の上部は広がるが下部は拘束されるので広がらない。即ち、締めた帯３の前上部は膨らむが下部は膨らまないことになる。
このため、締めた帯３の形が常に見栄え良く引き締まった状態（図６に示す状態）で、その良形が崩れなく維持される。
【００３０】
次に示す形態は、図５に示すように、前記帯板本体４の両端部４ｃ、４ｄ近くの上辺４ｈ、４ｉを端部４ｃ、４ｄへ向って斜め下がり状態又は一段低い状態に形成するものである。
こうすると、その下がった部分の上に結び目を載せたり、帯枕などを載せることができるので、帯の結び部分が下がり落ちるのを止めて、帯の結び部分を程良い高さで安定させて支えることができるようになる。
【００３１】
また別の形態は、図３及び図５に示すように、前記帯板本体４の内面４ｇに、長さ方向に平行な突条２０を複数本設ける。この突条２０は、胴部に装着した帯を前後変えるために廻す際に、帯板本体４の内面４ｇと着物の表面との摩擦を軽減し、着物の表面の破損を防ぐ効果が生じる。
なお、身体の前側で帯を結び終え前後１８０度後ろへ廻した際に、帯板本体４の中央が正確に正面にあることを確認するために、図３及び図５に示すように、帯板本体４の下辺中央に、接触して存在が感じられる中央位置確認マーカー２３を設けることができる。
こうすれば、あらかじめ帯板本体４を前打合わせにして中央位置確認マーカー２３を背中心に合わせておいて帯結びをすれば、その後、帯を後ろに廻した際に、中央位置確認マーカー２３に手を触れてその中央位置確認マーカー２３が臍のところにくるようにすることによって帯の状態を鏡に映さなくても簡単且つ正確に帯結びの位置を決めることができる。
【００３２】
さらに別の形態は、図１乃至図５と図１０に示すように、帯枕３０の両側部に設けた係止具２８又は帯結び補助紐２６の両端に設けた係止具２７に対してワンタッチで着脱可能な係止具１６を先端部に備えるとともに伸縮性部分１５ｂ又は着脱及び長さ調節手段（図５に示す係止紐繋ぎ係止具１４が該当）を設けた係止紐１５を、係止具１６の位置が帯板本体４の両端部寄りになるように（図１１に示すように、前記帯板本体４の両端の留め部を前にして胴部に巻いた時に、先端部に備えた係止具１６が両脇より前方に位置するように）、その基端部１５ａを帯板本体内面４ｇの中央対称位置に１対又は複数対設けたものである。
こうすれば、胴部に巻いた時に両脇より前方で、係止紐１５先端の係止具１６の位置を自由に移動でき、係止紐１５に必要に応じて係止具を具えた各種部材をそれぞれに止めることが可能となる。
【００３３】
たとえば、係止紐１５を２対設けた場合は、これを使用するときに、図１０に示すように、一方対の係止紐１５の両端に付けた係止具１６を前記帯枕３０の両側に設けた係止具２８に繋ぐ。この際、中間に係止紐繋ぎ係止具１４を設けてゴム紐を使用した伸縮性部分１５ｂを接続したものでは、その伸縮性部分１５ｂの伸縮性で長さを調節しつつ前記係止紐１５の係止具１６が帯枕３０の係止具２８に対して着脱可能なので所望の場所に帯枕３０を置いて無理なく簡単に繋ぐことができる。
また、前記係止紐１５の係止具１６には上記のように帯枕３０を止めるほかにも、帯の結び目に帯の形を整えるために巻く帯結び補助紐２６を、その両端に設けた係止具２７に繋いで用いることもできる。
しかも、それらの各係止具１６、２７、２８はワンタッチで着脱可能であり、さらに係止具１６に設けた係止紐繋ぎ係止具１４において繋いだ係止紐１５の端部１５ｃを引き絞ることにより長さ調節もできるので、帯板本体４による帯結びの作業がより手際よくできるようになる。
また、前記長さ調節手段として、その係止紐１５の中間部に設けた係止紐繋ぎ係止具１４に繋がる係止紐１５の端部に、面ファスナー３３を設ければ、その面ファスナー３３を外すことによって前記係止紐繋ぎ係止具１４から帯枕３０や帯結び補助紐２６などを簡単に分離し、帯を楽に解くことができる。またこれによって帯を締めている間でも自分で多少の長さ調節ができる。
【００３４】
また別の形態は、図３及び図４に示すように、前記帯板本体４の上辺４ｈ、４ｉから突出する部分が帯に巻き付け可能な長さを有する帯止め紐１１を、該帯板本体４の両方の端部４ｃ、４ｄ寄り部位に設けたものである。
前記帯止め紐１１を帯に巻いて止めるための方法は多様な態様があるが、ごく単純には、帯を巻くことができてさらに取付け基部に縛り付けることが可能となる程度の長さがある紐であれば良い。
したがって、例えば、図３に示すように、帯止め紐１１の上部を二股にし、その二股紐の両端部１２ａ、１２ｂに面ファスナー１３をそれぞれ設けたものが可能で、この場合、二股に帯又は帯枕を挟んで、その先端部分の前記面ファスナー１３を貼り合わせて止められる。
【００３５】
さらにまた別の形態は、図８に示すように、前記帯板本体４の上辺４ａの外側の端部寄り部位には、巻止め紐２１が挿通可能な紐通し輪２２を設け、内側内面の端部の下部には、中間に帯通し具２4を装着した帯止め紐２１をその基端部２1ａで固着する。そして、巻止め紐２１の中間から先端部にかけて面ファスナー２５を設けたものである。
この形態では、前記巻止め紐２１を帯に巻き付ける際に、その巻止め紐２１の先端部を前記帯通し具２4及び前記紐通し輪２２に通して先端部の面ファスナー２５を貼り着けて、帯の結び目と帯枕を固定することができる。
【００３６】
さらに別の形態は、図２及び図４に示すように、前記帯板本体４の内面４ｇに設けた、係止紐１５が収納できるように、上開きに形成した紐収納ポケット１９を設ける。
この紐収納ポケット１９によって、胴部に装着した帯を前後変えるために廻す際に、帯板本体４の内面４ｇと着物の表面との摩擦を軽減し、着物の表面の破損を防ぐ効果が生じる。
【００３７】
またさらに別の形態は、図１及び図２に示すように、前記帯板本体４の内面４ｇの内側内面の端部寄り部位に上開きの小袋２９を設ける。そうすれば、図８に示すように、その小袋２９内に背当て３１、支持板及びタオルなどの支持部材を入れて、それらの帯支持部材で結び目や帯枕を定位置で支えることができる。
なお、図１及び図２に示すように、巻止め紐２１の基端部２１ａを帯板本体４の内面下部に固着することもでき、この態様では、その巻止め紐２１の基端部２１ａを基点にその紐先を自由に移動させて帯を止めることができるようになる。
【００３８】
また別の形態は、前記帯板本体４の内側下辺部寄りに、長さ方向の紐通し筒又は、図５及び図９に示すように、長さ方向に略一定間隔を置いて紐通し輪１７を繋ぎ布１７ａを介して起き上がり自在に設け、前記紐通し筒又は紐通し輪１７に自在に往復可能な太さで胴部を少なくとも一周させて結べる長さの胴絞り紐１８を長さ方向に一方から順に挿通させたものである。
この形態では、前記胴絞り紐１８の両端を引き絞って結ぶことにより胴周りの弛みを解消させ、帯落ちを防止することが可能になる。
【００３９】
（使用方法１）
次に本発明の上記第２の基本形態により帯結びを行う手順を具体的に説明する。
（１）まず、肌襦袢を着た上に着物を着て、その着物を腰紐で縛って裾丈を決め、伊達締めをして、その上に帯を巻く位置に本和装用帯結び形整具を巻く。
本和装用帯結び形整具は、図１１に示すように、帯板本体４の両端部４ｃ、４ｄ（背側になる）を身体の前に持って行き胴部１に巻いて、少し引き締め状態でその両端部４ｃ、４ｄに設けた係止帯９、１０を伸ばし、重ね合わせ面に設けられた面ファスナー５ａ、６ａと面ファスナー７、８とを重ね合わせてそのままその上から押し付けてしっかり付着させて止める。
この時、中央位置確認マーカー２３をあらかじめ背中心に合わせておく。
【００４０】
（２）そして、帯の形によっては、帯板本体４の端部寄りにゴムを編みこんで伸縮性をもたせた小袋２９を設けたものを使い、その中に背当て３１・タオル・帯支持部材等を入れる。
そして、係止紐１６の係止具１６に帯結び補助紐２６の係止具２７を繋ぐ。
【００４１】
（３）次に、帯の手元の位置を決め、帯板本体４の繋ぎ合わせ部でもある帯結び位置に手元を帯結び補助紐２６で押さえて帯を仮止めする。
この仮止めで帯が手を離しても留まった状態になっているので、両手が自由に使えるようになるので次に二重に巻き付けたりする作業がしやすくなる。
（４）そして、帯板本体４に帯を二重に巻きつけ、垂れ元を手元の上へ交差するように載せて帯通し具２４に巻止め紐２１を通して帯の交差部を締め込み止める。そして、帯結び補助紐２６の仮止めを解く。
（５）次に、前記巻止め紐２１の先の残りの部分で帯板本体４の上辺４ｉ、４ｈに当てがった帯枕３０を巻いて上辺４ｉの紐通し輪２２に巻止め紐２１の先を通して引き絞り、そのまま先端に設けた面ファスナー２５を貼り合わせて止めつける。
【００４２】
（６）次に、帯の垂れ先で羽根又はお太鼓を作り、帯結び補助紐２６を数本使い、結び帯の形を作る（帯の形、状況により帯枕を止められない場合は、巻止め紐２１の残り部分を小袋２９へしまう）。この手順（６）は手順（５）と順序が前後しても良い。
（７）そして次に、帯枕３０を、帯枕３０の係止具２８と係止紐１５の係止具１６を繋ぎ、係止紐１５の先端部１５ｃを絞り込んで長さ調節して固定する。同様に帯結び補助紐２１を繋いだ係止紐１５の方も長さ調節して固定する。
（８）次に、帯揚げ、帯〆を通して反対側で仮止めをしてき、帯結びした帯板本体４を１８０度回転させて結び目を背中側にし、帯板本体４の前中央にある中央位置確認マーカー２３が臍の位置にくるように合わせる。
そして最後に、帯揚げ、帯〆を締め直し形を整え、胴絞り紐１８を、後ろもしくは１周させ、前で引き絞り縛って、外から見えないように帯板本体４と着衣２の間にその紐の結び目を押し込んで完了する。
【００４３】
（使用方法２）
次にまた別の手順を説明する。
この手順では、はじめは上記手順（１）と（２）と同じなので、それ以降について説明する。
（３）帯の手元の位置を決め、帯板本体４の繋ぎ合わせ部上辺４ｉの端部よりすこし離れた位置にある帯止め紐１１で縛る。このとき、帯の手元が止められているので両手が自由に使え、その後、帯を二重に巻くのに手際よくできるようになる。
（４）そして、帯板本体４に帯を二重に巻きつけ、巻き終わりに垂れ元を決め、上辺４ｈの端部から少し離れた位置にある帯止め紐１１で垂れ元を縛ることにより巻き終い部分の二重に巻いた表面側の帯がずれるのを防止することができる。
【００４４】
（５）次に、手元の上へ垂れ元を交差させ、帯の結び目位置を上辺４ｈの端部近くの帯止め紐１１で縛り止める。
（６）そして、別の上辺４ｉの帯止め紐１１で帯枕を縛り止める。このとき、帯板本体４の上辺４ｈ、４ｉに当てがった帯枕を縛ることにより、その上辺４ｈ、４ｉより下がることがなくなり帯崩れしにくくなる。
【００４５】
（７）次に、上記使用方法１の（６）（７）（８）と同様の作業を行う。
（８）以上で帯結び作業が終わることとなるが、着衣中でも係止紐１５に設けた紐止め係止具１４に繋いだ係止紐１５を止める面ファスナー３３を止め直すことで、多少の弛み又は締め込みの調節ができる。
そして、帯を解く時には、係止紐１５を止めている面ファスナー３３を外せば楽に帯を回転させ、前面で簡単に帯を解くことができる。
【産業上の利用可能性】
【００４６】
本発明は、着物の帯結び専用の形整具であり、帯の結び方は複雑で多様な結び方があるが、２つの基本形態と、それに各種の機能を付加させた形態を適宜用いることによって、どのような形の帯結びにも対応させて使用することが可能となる。
【図面の簡単な説明】
【００４７】
【図１】請求項１における湾曲した帯板本体の端部を離した状態を示す前斜め上から見た斜視図。
【図２】帯板本体を後斜め上から見た斜視図。
【図３】請求項２における湾曲した帯板本体の端部を離した状態を示す前斜め上から見た斜視図。
【図４】帯板本体を後斜め上から見た斜視図。
【図５】請求項２における帯板本体を広げた状態を示す内面の正面図。
【図６】本発明の胴部に装着した時の状態を示す側面図。
【図７】請求項２における帯板本体を胴部に装着した時の状態を示す胴部の輪切り断面図。
【図８】請求項８における巻止め紐を紐通し輪に装着した状態を示す要部の斜視図。
【図９】帯板本体を胴部に装着するときの胴絞り紐を結ぶ前の状態を示す平面図。
【図１０】係止紐を使用した状態を示す斜視図。
【図１１】本発明の胴部への後側を前にして使用する状態を示す正面図。
【図１２】従来の帯板を胴部に装着した状態を示す正面図。
【符号の説明】
【００４８】
１    胴部
２    着衣
３    帯
４    帯板本体
４ａ  帯板本体の上辺
４ｂ  帯板本体の下辺
４ｃ  帯板本体の端部
４ｄ  帯板本体の端部
４ｅ  帯板本体の端部の内側外面
４ｆ  帯板本体の端部の外側内面
４ｇ  帯板本体の内面
４ｈ  帯板本体の端部近くの上辺
４ｉ  帯板本体の端部近くの上辺
５    面ファスナー
６    面ファスナー
５ａ  面ファスナー
６ａ  面ファスナー
７    面ファスナー
８    面ファスナー
９    外側の係止帯
９ａ  外側の係止帯の内側
１０    内側の係止帯
１０ａ  内側の係止帯の外側
１１    帯止め紐
１２ａ  帯止め紐の二股紐の端部
１２ｂ  帯止め紐の二股紐の端部
１３    面ファスナー
１４    係止紐繋ぎ係止具
１５    係止紐
１５ａ  係止紐の基端部
１５ｂ  係止紐の伸縮部
１５ｃ  係止紐の先端部
１６    係止具
１７    胴絞り紐通し筒又は紐通し輪
１７ａ  繋ぎ布
１８    胴絞り紐
１９    紐収納ポケット
２０    突条
２１    巻止め紐
２１ａ  巻止め紐の基部
２２    紐通し輪
２３    中央位置確認マーカー
２４    帯通し具
２５    面ファスナー
２６    帯結び補助紐
２７    帯結び補助紐の係止具
２８    帯枕の係止具
２９    小袋
３０    帯枕
３１    背当て
３２    後ろの帯結び部分
３３    面ファスナー
３４    従来の帯板
【図１】
2006070384.tif 000003
【図２】
2006070384.tif 000004
【図３】
2006070384.tif 000005
【図４】
2006070384.tif 000006
【図５】
2006070384.tif 000007
【図６】
2006070384.tif 000008
【図７】
2006070384.tif 000009
【図８】
2006070384.tif 000010
【図９】
2006070384.tif 000011
【図１０】
2006070384.tif 000012
【図１１】
2006070384.tif 000013
【図１２】
2006070384.tif 000014